(57)【要約】      （修正有）【課題】GPSの位置情報を利用して、バラスト水処理を運転するか否かを判定するバラスト水処理運転装置及び方法を提供する。【解決手段】バラスト作業のために外部から流入されるバラスト水に対して、またはデバラスト作業のために外部に排出されるバラスト水に対して所定の処理を行うことができるバラスト水処理ユニット１４２，１４６と、位置情報を受信する位置情報受信ユニット１８０と、位置情報受信ユニット１８０で受信された位置情報を利用して船舶の位置を確認した後、バラスト作業時またはデバラスト作業時にバラスト水処理ユニット１４２，１４６を運転するか否かを判断する制御ユニット１９０とを含むことにより、不必要なエネルギー消費を防止することができる。【選択図】図１
2017185884.tif 000002
【特許請求の範囲】
【請求項１】
バラスト作業のために外部から流入されるバラスト水に対して、またはデバラスト作業のために外部に排出されるバラスト水に対して所定の処理を行うことができるバラスト水処理ユニットと、
位置情報を受信する位置情報受信ユニットと、
前記位置情報受信ユニットで受信された位置情報を利用して船舶の位置を確認した後、前記バラスト作業時または前記デバラスト作業時に前記バラスト水処理ユニットを運転するか否かを判断する制御ユニットとを含むことを特徴とするバラスト水処理運転装置。
【請求項２】
前記制御ユニットは、前記バラスト作業を行う位置を保存するためのメモリをさらに含み、
前記制御ユニットは、前記バラスト作業時に前記バラスト作業を行う場所を前記メモリに保存し、前記デバラスト作業時に前記メモリに保存されたバラスト作業の実行場所を考慮して、前記バラスト水処理ユニットを運転するか否かを判断することを特徴とする請求項1に記載のバラスト水処理運転装置。
【請求項３】
前記メモリには、前記バラスト作業時又は前記デバラスト作業時に要求される前記バラスト水処理ユニットの運転条件が保存されており、
前記制御ユニットは、前記バラスト作業時又は前記デバラスト作業時に、前記メモリに保存されている運転条件に応じて前記バラスト水処理ユニットを運転するか否かを判断することを特徴とする請求項2に記載のバラスト水処理運転装置。
【請求項４】
前記制御ユニットは、前記位置情報受信ユニットを介して更新された前記バラスト水処理ユニットの運転条件が入力されると、前記メモリに更新された前記バラスト水処理ユニットの運転条件を保存することを特徴とする請求項3に記載のバラスト水処理運転装置。
【請求項５】
前記バラスト水処理ユニットは、前記バラスト作業時に外部から流入されるバラスト水を電気分解することができる電気分解モジュールと、前記デバラスト作業時に外部に排出されるバラスト水に残留する残留酸化物を中和させることができる中和モジュールとを含み、
前記制御ユニットは、前記バラスト作業時に前記電気分解モジュールを運転するか否かを判断して前記電気分解モジュールを制御し、また、前記デバラスト作業時に前記中和モジュールを運転するか否かを判断して前記中和モジュールを制御することを特徴とする請求項1乃至4のいずれかに記載のバラスト水処理運転装置。
【請求項６】
前記バラスト水処理ユニットは、前記バラスト作業時に外部から流入されるバラスト水に対して、または前記デバラスト作業時に外部に排出されるバラスト水に対して紫外線滅菌処理を行う紫外線処理モジュールを含み、
前記制御ユニットは、前記バラスト作業時に、そして前記デバラスト作業時に、前記紫外線処理モジュールを運転するか否かを判断して前記紫外線処理モジュールを制御することを特徴とする請求項1乃至4のいずれかに記載のバラスト水処理運転装置。
【請求項７】
ユーザー入力部を介してバラスト運転ボタンが入力されると、位置情報受信ユニットから第1の位置情報を受信する段階と、
前記第1の位置情報を受信する段階で受信された前記位置情報受信ユニットからの第1の位置情報をメモリに保存する段階と、
ユーザー入力部を介してデバラスト作業を行う位置情報が入力されたかを確認する段階と、
前記確認する段階で入力された位置情報がバラスト水処理ユニットの運転条件を満足すると、前記バラスト水処理ユニットを運転させて外部から流入されるバラスト水に対して所定の処理を行う段階とを含むことを特徴とするバラスト水処理運転方法。
【請求項８】
ユーザー入力部を介してデバラスト運転ボタンが入力されると、前記位置情報受信ユニットから第2の位置情報を受信する段階と、
前記第2の位置情報を受信する段階で受信された前記位置情報受信ユニットからの第2の位置情報とメモリに保存された第1の位置情報とを考慮して、前記バラスト水処理ユニットの運転条件を満足すると、前記バラスト水処理ユニットを運転させて外部に排出されるバラスト水に対して所定の処理を行う段階とをさらに含むことを特徴とする請求項7に記載のバラスト水処理運転方法。
【発明の詳細な説明】
【技術分野】
【０００１】
本発明は、バラスト水処理運転装置及び方法に関するものであって、GPS（衛星航法装置）の位置情報を利用して、バラスト水処理のために運転するか否かを判定するバラスト水処理運転装置及び方法に関するものである。
【背景技術】
【０００２】
海上で貨物を運搬する船舶は、船舶の満載状態で航海した後、貨物を荷役した後は、空船で再帰還する場合が多い。このように船舶が空船で再帰還する場合には、船舶のバランス、安全性と操縦性能の向上などのために平衡水（ballast water：バラスト水）を船内に流入させて満たした後に航海をすることになる。
【０００３】
この時、バラスト水は、バラスティング作業を介して、ある港口で満たされて他の場所に移送され、デバラスティング作業によって新しい港口で排出される。このように、遠い場所から運ばれてきたバラスト水に含まれている海洋生物や病原菌の放出は、その海域の環境と生態系を撹乱させる副作用をもたらす。したがって、最近、国際海事機関（IMO：International Maritime Organization）は、環境と生態系の撹乱を防止するために、船舶のバラスト水の処理規定を制定した。
【０００４】
海洋生物と病原菌によって提起される危険性を除去するために、船舶にはバラスト水を電気分解するか、あるいは化学薬品を注入してバラスト水を殺菌処理するか、あるいは紫外線殺菌方式のバラスト水処理装置が一般的に使用される。しかし、船舶のバラスト水タンクに流入したり、バラスト水タンクから排出されるバラスト水は、大容量であるため、このような処理をするたびに多くの電力が使用される。
【発明の開示】
【発明が解決しようとする課題】
【０００５】
上述した問題点を解決するために、本発明は、GPSの位置情報を利用して、バラスト水処理を運転するか否かを判定するバラスト水処理運転装置及び方法を提供することを目的とする。
【課題を解決するための手段】
【０００６】
上述した目的を達成するために、本発明の一実施例に係るバラスト水処理運転装置は、バラスト作業のために外部から流入されるバラスト水に対して、またはデバラスト作業のために外部に排出されるバラスト水に対して所定の処理を行うことができるバラスト水処理ユニットと、位置情報を受信する位置情報受信ユニットと、前記位置情報受信ユニットで受信された位置情報を利用して船舶の位置を確認した後、前記バラスト作業時または前記デバラスト作業時に前記バラスト水処理ユニットを運転するか否かを判断する制御ユニットとを提供する。
【０００７】
前記制御ユニットは、前記バラスト作業を行う位置を保存するためのメモリをさらに含み、前記制御ユニットは、前記バラスト作業時に前記バラスト作業を行う場所を前記メモリに保存し、前記デバラスト作業時に前記メモリに保存されたバラスト作業の実行場所を考慮して、前記バラスト水処理ユニットを運転するか否かを判断することができる。
【０００８】
前記メモリには、前記バラスト作業時又は前記デバラスト作業時に要求される前記バラスト水処理ユニットの運転条件が保存されており、前記制御ユニットは、前記バラスト作業時又は前記デバラスト作業時に、前記メモリに保存されている運転条件に応じて前記バラスト水処理ユニットを運転するか否かを判断することができる。
【０００９】
前記制御ユニットは、前記位置情報受信ユニットを介して更新された前記バラスト水処理ユニットの運転条件が入力されると、前記メモリに更新された前記バラスト水処理ユニットの運転条件を保存することができる。
【００１０】
前記バラスト水処理ユニットは、前記バラスト作業時に外部から流入されるバラスト水を電気分解することができる電気分解モジュールと、前記デバラスト作業時に外部に排出されるバラスト水に残留する残留酸化物を中和させることができる中和モジュールとを含み、前記制御ユニットは、前記バラスト作業時に前記電気分解ユニットを運転するか否かを判断して前記電気分解ユニットを制御し、また、前記デバラスト作業時に前記中和ユニットを運転するか否かを判断して前記中和ユニットを制御することができる。
【００１１】
前記バラスト水処理ユニットは、前記バラスト作業時に外部から流入されるバラスト水に対して、または前記デバラスト作業時に外部に排出されるバラスト水に対して紫外線滅菌処理を行う紫外線処理モジュールを含み、前記制御ユニットは、前記バラスト作業時に、そして前記デバラスト作業時に、前記紫外線処理ユニットを運転するか否かを判断して前記紫外線処理ユニットを制御することができる。
【００１２】
本発明の他の一実施例に係るバラスト水処理運転方法は、ユーザー入力部を介してバラスト運転ボタンが入力されると、位置情報受信ユニットから第1の位置情報を受信する段階と、前記第1の位置情報を受信する段階で受信された前記位置情報受信ユニットからの第1の位置情報をメモリに保存する段階と、ユーザー入力部を介してデバラスト作業を行う位置情報が入力されたかを確認する段階と、前記確認する段階で入力された位置情報がバラスト水処理ユニットの運転条件を満足すると、前記バラスト水処理ユニットを運転させて外部から流入されるバラスト水に対して所定の処理を行う段階とを提供することにより、上述した目的を達成することができる。
【００１３】
前記バラスト水処理運転方法は、ユーザー入力部を介してデバラスト運転ボタンが入力されると、前記位置情報受信ユニットから第2の位置情報を受信する段階と、前記第2の位置情報を受信する段階で受信された前記位置情報受信ユニットからの第2の位置情報とメモリに保存された第1の位置情報を考慮して、前記バラスト水処理ユニットの運転条件を満足すると、前記バラスト水処理ユニットを運転させて外部に排出されるバラスト水に対して所定の処理を行う段階とをさらに含むことができる。
【図面の簡単な説明】
【００１４】
【図１】図1は、本発明の一実施例に係るバラスト水処理運転装置のブロック図を概略的に示す図である。
【図２】図2は、本発明の他の実施例に係るバラスト水処理運転装置のブロック図を概略的に示す図である。
【図３】図3は、本発明の一実施例に係るバラスト作業フローチャートを示す図である。
【図４】図4は、本発明の他の実施例に係るデバラスト処理運転フローチャートを示す図である。
【発明を実施するための最良の形態】
【００１５】
以下、添付された図面を参照して、本発明に係るバラスト水処理運転装置及び運転方法の好ましい実施例を説明する。参考までに、以下に本発明を説明するにあたり、本発明の構成要素を指す用語は、それぞれの構成要素の機能を考慮して名付けられたものなので、本発明の技術的構成要素を限定する意味で理解されてはならない。
【００１６】
図１は、本発明の一実施例に係るバラスト水処理運転装置のブロック図を概略的に示す図である。
【００１７】
図１に示すように、バラスト水処理運転装置は、バラスト水を流入させるためのポンプ110と、バラスト水を貯蔵するためのバラスト水タンク135と、バラスト水の流れを制御する第1の弁121、第2の弁122、第3の弁（ECU流入弁）123、第4の弁（ECU排出弁）124、第5の弁（バイパス弁）125、第6の弁（タンク流出弁）126、第7の弁（タンク流入弁）127及び第8の弁（デバラスト排出弁）128を含む。
【００１８】
また、バラスト水処理運転装置は、バラスト水処理に関連する複数のユニットを含む。そのために、バラスト水処理運転装置は、バラスト水を電気分解するための電気分解ユニット（ECU）146と、デバラスト作業時に排出されるバラスト水に残存するTROを中和するための中和ユニット142と、バラストまたはデバラスト作業時にバラスト水に残存するTROを測定するためのTROセンサーユニット148と、バラスト作業時またはデバラスト作業時に流れる流量を検出するための流量検出ユニット144と、前記のユニットに電源を供給するための電源供給ユニット160とを含む。
【００１９】
本発明で使用される「TRO」は、「Total Residual Oxidant」の略語で、バラスト水に存在するすべての残留酸化剤を意味し、通常は、電気分解過程で発生する塩素がバラスト水内の水中生物を酸化させて、残りの塩素の残留塩素数値を測定して求める。TROは、海水や塩分が混ざっている水を電気分解し、または塩素消毒した場合、活性塩素の代わりに臭素などの原子に代替され、様々な種類の酸化剤が共存するようになるが、このときに存在するすべての活性酸化剤を指す。
【００２０】
バラスト水処理運転装置は、また、ポンプ110と複数の弁の各動作に関する状態信号を提供する配電盤150と、ユーザーが入力することができるユーザー入力部170と、人工衛星との通信が可能な位置情報受信ユニット180と、PCなどで構成され、前記のユニットと通信しながら制御するための制御ユニット190とを含む。ここで、各弁の状態信号とは、ポンプ110または各弁の動作によって検出される状態に関する情報を意味する。例えば、リミットスイッチが各弁に配置されている場合、各弁の状態信号は、弁が開放されるときに状態オン信号などである。
【００２１】
位置情報受信ユニット180は、位置情報を受信するために、GPS衛星通信モジュールを含むことができ、また、ユーザーから位置情報の入力を直接受けることもできる。位置情報受信ユニット180は、衛星通信モジュールが備えられた場合、人工衛星との通信を介して更新された運転条件を受信することができる。
【００２２】
本発明で制御ユニット190は、バラスト作業をしようとする場合、位置情報受信ユニット180から受信された位置情報を利用して、船舶の緯度と経度の位置を確認する。制御ユニット190は、船舶の位置が電気分解ユニット146を運転する必要がない地域にある場合には、電気分解ユニット146を運転せずにバラスト作業を行う。しかし、制御ユニット190は、船舶の位置が電気分解ユニット146を運転する必要がある地域にある場合には、バラスト作業時に電気分解ユニット146を運転させる。
【００２３】
また、制御ユニット190は、デバラスト作業をしようとする場合、位置情報受信ユニット180から受信された位置情報を利用して、船舶の緯度と経度の位置を確認する。制御ユニット190は、船舶の位置が中和ユニット142を運転する必要がない地域にある場合には、中和ユニット142を運転せずにデバラスト作業を行う。しかし、制御ユニット190は、船舶の位置が中和ユニット142を運転する必要がある地域にある場合には、バラスト作業時に中和ユニット142を運転させる。
【００２４】
そのために、制御ユニット190は、メモリ（図示せず）をさらに含むことができる。メモリには、バラスト作業時に電気分解ユニット146を運転するかについての運転条件が保存されており、デバラスト作業時に必要な中和ユニット142を運転するかについての運転条件が保存されている。
【００２５】
これにより、制御ユニット190は、バラスト作業をしようとする場合は、メモリに保存された運転条件に応じて、電気分解ユニット146を運転するか否かを判断して、デバラスト作業をしようとする場合は、メモリに保存された運転条件に応じて、中和ユニット142を運転するか否かを判断する。
【００２６】
制御ユニット190が運転するか否かを判断する条件としては、（1）バラスト作業とデバラスト作業が実行される地域が同じ地域であるか、そして（2）相互免除条約がある地域であるかなどである。制御ユニット190は、バラスト作業時にデバラスト作業の実行場所が同じか、または相互免除条約の場所であれば、電気分解ユニット146を運転させない。ここで、バラスト作業とデバラスト作業が実行される地域が同じ地域である場合には、バラスト作業時に、あえて電気分解ユニット146を運転させる必要がなく、また、デバラスト作業時に、あえて中和ユニット142を運転させる必要がない。
【００２７】
そして、相互免除条約がある地域、例えば韓国と日本の場合のように「バラスト水管理条約」の適用を相互に免除することに合意した場合も、バラスト作業時に、あえて電気分解ユニット146を運転させる必要がなく、また、デバラスト作業時に、あえて中和ユニット142を運転させる必要がない。
【００２８】
また、制御ユニット190は、位置情報受信ユニット180に受信された更新された運転条件をメモリに保存することができる。
【００２９】
図２は、本発明の他の実施例に係るバラスト水処理運転装置のブロック図を概略的に示す図である。
【００３０】
図２に示すように、バラスト水処理運転装置は、バラスト水を流入させるためのポンプ210と、バラスト水を貯蔵するためのバラスト水タンク235と、バラスト水の流れを制御する第1の弁221、第2の弁222、第3の弁223、第4の弁224及び第5の弁225を含む。
【００３１】
また、バラスト水処理運転装置は、バラスト水処理に関連する多数のユニットを含む。そのために、バラスト水処理運転装置は、バラスト水の有害成分などをフィルタリングするためのフィルタユニット240と、バラスト水に対して紫外線処理を行う紫外線処理ユニット245と、前記のユニットに電源を供給するための電源供給ユニット250とを含む。
【００３２】
バラスト水処理運転装置は、また、ポンプ110と複数の弁の各動作に関する状態信号を提供する配電盤260と、ユーザーが入力することができるユーザー入力部270と、人工衛星との通信が可能な位置情報受信ユニット280と、PCなどで構成され、前記のユニットと通信しながら制御するための制御ユニット290とを含む。ここで、各弁の状態信号とは、ポンプ210または各弁の動作によって検出される状態に関する情報を意味する。例えば、リミットスイッチが各弁に配置されている場合、各弁の状態信号は、弁が開放されるときに状態オン信号などである。
【００３３】
位置情報受信ユニット280は、位置情報を受信するために、GPS衛星通信モジュールを含むことができ、また、ユーザーから位置情報の入力を直接受けることもできる。位置情報受信ユニット280は、衛星通信モジュールが備えられた場合、人工衛星との通信を介して更新された運転条件を受信することができる。
【００３４】
位置情報受信ユニット280は、位置情報を受信するGPSを含む 。また、位置情報受信ユニット280は、人工衛星との通信を介して更新された運転条件を受信することができる。
【００３５】
本発明で制御ユニット290は、バラスト作業をしようとする場合、位置情報受信ユニット280から受信された位置情報を利用して、船舶の緯度と経度の位置を確認する。制御ユニット290は、船舶の位置が紫外線処理ユニット245を運転する必要がない地域にある場合には、紫外線処理ユニット245を運転せずにバラスト作業を行う。しかし、制御ユニット290は、船舶の位置が紫外線処理ユニット245を運転する必要がある地域にある場合には、バラスト作業時に紫外線処理ユニット245を運転させる。
【００３６】
また、制御ユニット290は、デバラスト作業をしようとする場合、位置情報受信ユニット280から受信された位置情報を利用して、船舶の緯度と経度の位置を確認する。制御ユニット190は、船舶の位置が紫外線処理ユニット245を運転する必要がない地域にある場合には、紫外線処理ユニット245を運転せずにデバラスト作業を行う。しかし、制御ユニット290は、船舶の位置が紫外線処理ユニット245を運転する必要がある地域にある場合には、バラスト作業時に紫外線処理ユニット245を運転させる。
【００３７】
そのために、制御ユニット290は、メモリ（図示せず）をさらに含むことができる。メモリには、バラスト作業時に紫外線処理ユニット245を運転するかについての運転条件が保存されており、デバラスト作業時に必要な紫外線処理ユニット245を運転するかについての運転条件が保存されている。
【００３８】
これにより、制御ユニット290は、バラスト作業をしようとする場合は、メモリに保存された運転条件に応じて、紫外線処理ユニット245を運転するか否かを判断して、デバラスト作業をしようとする場合は、メモリに保存された運転条件に応じて、紫外線処理ユニット245を運転するか否かを判断する。
【００３９】
また、制御ユニット290は、位置情報受信ユニット280に受信された更新された運転条件をメモリに保存することができる。
【００４０】
一方、上述した実施例に記載された電気分解ユニット、中和ユニットまたは紫外線処理ユニットは、総称してバラスト水処理ユニットと呼ぶことができる。
【００４１】
図３は、本発明の一実施例に係るバラスト作業フローチャートを示す図である。
【００４２】
船員は、バラスト作業を進めようとする場合は、ユーザー入力部170のバラストボタン（図示せず）を押して、制御ユニット190にバラスト作業コマンドを入力することができる（S302）。
【００４３】
制御ユニット190は、バラスト作業コマンドが入力されると、図１の実施例で、まず、第1の弁121、第2の弁122、第3の弁123、第4の弁124及び第7の弁127が開放されるように駆動ユニット（図示せず）を制御する（S304）。これに、第1の弁121、第2の弁122、第3の弁123、第4の弁124及び第7の弁127が作動して開放されて、第1の弁状態オン信号、第2の弁状態オン信号、第3の弁状態オン信号、第4の弁状態オン信号、及び第7の弁状態オン信号が配電盤160に提供される。また、配電盤160には、第5の弁状態オフ信号、第6の弁状態オフ信号、及び第8の弁状態オフ信号も提供される。
【００４４】
制御ユニット190は、続いて、ポンプ110を動作させるために駆動ユニットを制御することができる（S306）。ポンプ110の動作によってポンプ状態オン信号が配電盤160に提供される。
【００４５】
上述したように、ポンプ状態信号とすべての弁状態信号が配電盤160に提供されるためには、ポンプ110または各弁から配電盤160にすべての信号が連結されなければならないが、これはコストを増加させる。したがって配電盤160には、バラスト動作とデバラスト動作のために必要な一部の信号だけ提供されることが望ましい。
【００４６】
制御ユニット190は、ポンプ110が運転すると、流量検出ユニット144を介してバラスト水の流量を検出する（S308）。制御ユニット190は、流量検出ユニット144から所定の基準流量値、例えば50m3/h以上であれば、バラスト水が流れていると判断することができる。
【００４７】
制御ユニット190は、位置情報受信ユニット180から位置情報を受信する（S310）。制御ユニット190は、バラスト作業を実行しようとする船舶の位置情報をメモリに保存する（S312）。
【００４８】
制御ユニット190は、ユーザーがユーザー入力部170を操作してデバラスト作業を行う位置を選択するかをチェックする（S314）。制御ユニット190は、ユーザーがデバラスト作業を行う位置を選択しない場合、バラスト水処理ユニット、すなわち電気分解ユニット146または紫外線処理ユニット245を運転させる（S320）。一方、制御ユニット190は、流量検出ユニット144を介して検出されたバラスト水の流量に応じて電気分解ユニット146に供給される電流を調整することができる。制御ユニット190は、また、流量検出ユニット144を介してバラスト水の流量を測定し、TROセンサーユニット148を介してTROを測定して、適正なTROが発生するように、電気分解ユニット146に供給される電流を調節することができる。制御ユニット190は、必要に応じては、ポンプ110を制御してバラスト水の流量を制御することができる。
【００４９】
制御ユニット190は、ユーザーがデバラスト作業を行う位置を選択すると、デバラスト位置を保存する（S316）。制御ユニット190は、バラスト処理の未運転条件であるかをチェックする（S318）。制御ユニット190は、バラスト処理の未運転条件でない場合、バラスト水処理ユニット、すなわち電気分解ユニット146または紫外線処理ユニット245を運転させて（S320）、バラスト処理の未運転条件を満足すると、バラスト水処理ユニット、すなわち、電気分解ユニット146または紫外線処理ユニット245を運転せずにバラスト作業を行う（S322）。
【００５０】
制御ユニット190は、特にバラスト水タンク135にバラスト水が完全に満たされ、流量検出ユニット144でバラスト水の流量が検出されない場合、電気分解ユニット146または紫外線処理ユニット245の動作を停止させることができる。
【００５１】
図４は、本発明の他の実施例に係るデバラスト処理運転フローチャートを示す図である。
【００５２】
船員は、デバラスト作業を進めようとする場合は、ユーザー入力部170のデバラストボタン（図示せず）を押して、制御ユニット190にデバラスト作業コマンドを入力することができる（S402）。
【００５３】
制御ユニット190は、バラスト作業コマンドが入力されると、図１の実施例で、まず、第2の弁122、第5の弁125、第6の弁126及び第8の弁128が開放されるように駆動ユニット（図示せず）を制御する（S404）。これにより、第2の弁122、第5の弁125、第6の弁126及び第8の弁128が作動して開放されて、第2の弁状態オン信号、第5の弁状態オン信号、第6の弁状態オン信号、及び第8の弁状態オン信号が配電盤160に提供される。また、配電盤160には、第1の弁状態オフ信号、第3の弁状態オフ信号、第4の弁状態オフ信号及び第7の弁状態オフ信号も提供される。
【００５４】
制御ユニット190は、続いて、ポンプ110を動作させるために駆動ユニットを制御することができる（S406）。ポンプ110の動作によってポンプ状態オン信号が配電盤160に提供される。
【００５５】
制御ユニット190は、ポンプ110が運転すると、流量検出ユニット144を介してバラスト水の流量を検出する（S408）。
【００５６】
制御ユニット190は、位置情報受信ユニット180から位置情報を受信する（S410）。制御ユニット190は、デバラスト作業を行う船舶の位置情報をメモリに保存する（S412）。
【００５７】
制御ユニット190は、デバラスト処理の未運転条件であるかをチェックする（S414）。制御ユニット190は、デバラスト処理の未運転条件でない場合、バラスト水処理ユニット、すなわち中和ユニット142または紫外線処理ユニット245を運転させて（S416）、デバラスト処理の未運転条件を満足すると、バラスト水処理ユニット、すなわち、中和ユニット142または紫外線処理ユニット245を運転せずにデバラスト作業を行う（S418）。
【００５８】
制御ユニット190は、特にバラスト水タンク135にバラスト水が完全に空になって流量検出ユニット144でバラスト水の流量が検出されない場合、中和ユニット142または紫外線処理ユニット245の動作を停止させることができる。
【００５９】
バラスト水処理運転装置は、上述した動作条件に加えて、ストライド動作、重力バラスト動作と重力デバラスト動作などがあり、船員の操作により手動で運転できる選択スイッチも備えることができる。また、バラスト水処理運転装置は、運転した記録、すなわち流量及び処理濃度などをログ記録として保存することができる。
【００６０】
以上で説明した本発明の実施例は、本発明の技術思想を例示的に示したものに過ぎず、本発明の保護範囲は、特許請求の範囲によって解釈されるべきである。また、本発明の属する技術分野で通常の知識を有する者であれば、本発明の本質的な特性から逸脱しない範囲で様々な修正及び変形が可能であるため、本発明と同等の範囲内にあるすべての技術思想は、本発明の権利範囲に含まれるものと解釈されるべきである。
【００６１】
［発明の効果］
上述した構成により、本発明は、位置情報に基づいてバラスト水を処理するか否かを判定することにより、不必要なエネルギー消費を防止することができる。
【００６２】
また、本発明は、バラスト作業時にデバラスト作業の実行地域に応じてバラスト水を処理するか否かを判定することができる。
【００６３】
(符号の説明)
110  ポンプ
130  海水箱
135  バラスト水タンク
142  中和ユニット
144  流量検出ユニット
146  電気分解ユニット
148  TROセンサーユニット
150  配電盤
160  電源供給ユニット
170  ユーザー入力部
180  位置情報受信ユニット
190  制御ユニット
240  フィルタユニット
245  紫外線処理ユニット
【図１】
2017185884.tif 000003
【図２】
2017185884.tif 000004
【図３】
2017185884.tif 000005
【図４】
2017185884.tif 000006